(57)【要約】【課題】畝内の薬肥粒剤が施用されている部位に適切に苗株を植付けることができる施用装置付き移植機を提供する。【解決手段】施用装置付き移植機は、圃場走行可能に支持した機体に歩行操作用の操縦ハンドル（８）を設けるとともに、苗株を圃場に植付ける苗株植付装置（３）と薬肥粒剤を圃場に施用する薬肥粒剤施用装置（５）とを装荷して構成され、上記薬肥粒剤施用装置（５）は、苗株植付装置（３）より前方位置で、薬肥粒剤をタンクから定量繰出しする繰出部（３１）と、その繰出し薬肥粒剤を土壌中に攪拌するための攪拌部（３２）とを設けることにより、施用部位への確実な苗株の植付けを可能とするものである。【選択図】図１
2010263867.tif 000002
【特許請求の範囲】
【請求項１】
圃場走行可能に支持した機体に苗株を圃場に植付ける苗株植付装置（３）と薬肥粒剤を圃場に施用する薬肥粒剤施用装置（５）とを装荷した施用装置付き移植機において、
上記薬肥粒剤施用装置（５）は、苗株植付装置（３）より前方位置で、薬肥粒剤をタンクから定量繰出しする繰出部（３１）と、その繰出し薬肥粒剤を土壌中に攪拌するための攪拌部（３２）とを設けたことを特徴とする施用装置付き移植機。
【請求項２】
前記機体には、原動機として片側配置の排気管（６ａ）を備えた内燃機関（６）を搭載し、かつ、前記薬肥粒剤施用装置（５）は、その繰出部（３１）と攪拌部（３２）を共に駆動する電動駆動部（３３）を備え、この電動駆動部（３３）を上記内燃機関（６）の排気管（６ａ）の反対側に配置したことを特徴とする請求項１記載の施用装置付き移植機。
【請求項３】
前記薬肥粒剤施用装置（５）は、その繰出部（３１）の後方に攪拌部（３２）を配置し、この攪拌部（３２）は、機体の前進方向に転動可能に軸支した中央拡径状の攪拌ローラ（３４）と、その周面に放射状に突設した複数の攪拌ピン（３５）とからなることを特徴とする請求項１記載の施用装置付き移植機。
【発明の詳細な説明】
【技術分野】
【０００１】
本発明は、薬肥粒剤を施用しつつ野菜苗株を植付けする施用装置付き移植機に関するものである。
【背景技術】
【０００２】
殺菌殺虫用の薬剤や肥料等の薬肥粒剤を圃場に散布施用する薬肥粒剤施用装置を備えた歩行型野菜苗株移植機は、エンジン動力を変速伝動する変速伝動装置と駆動輪および歩行操作用の操縦ハンドルを設けた機体に苗株植付装置と薬肥粒剤施用装置を備えたものであり、植付けするべき各苗株について規定量の薬肥粒剤を施用するためには、植付具の動作タイミングと合わせるとともに、株間距離の変更に対応するための複雑な伝動系による薬肥粒剤吐出手段を要し、コスト上およびメンテナンス上の問題を避けることができないことから、この問題を解決するために、特許文献１に示される薬肥粒剤施用装置を備えた苗株移植機が知られている。
【０００３】
この苗株移植機は、投入された苗株を所定位置まで搬送する周回カップを備えた回転テーブルによる苗株供給装置に薬肥粒剤施用装置を設けることによって簡易かつ確実に規定量の薬肥粒剤を施用しつつ、その下方で上下動作する植付具によって苗株を圃場に植付けすることができる。
【先行技術文献】
【特許文献】
【０００４】
【特許文献１】特開２０００−１２５６１９号公報
【発明の概要】
【発明が解決しようとする課題】
【０００５】
しかしながら、上記薬肥粒剤施用装置は、周回カップ内の苗に上方から薬肥粒剤が供給される構成であるために、苗の葉や茎に薬肥粒剤が付着することがあり、苗が薬害を受けることによって移植後の苗の成育に問題があった。一方、苗株を植え付ける畝について薬肥粒剤を散布して畝の所定部に鋤き込む施用土壌攪拌作業を事前に行うことも考えられるが、苗株植付位置が畝内の施用位置から外れることがあり、問題がある。
【０００６】
本発明の目的は、苗株植付位置が畝内の薬肥粒剤を土壌中に攪拌した部位から外れることなく、畝内の薬肥粒剤が施用されている部位に適切に苗株を植付けることができる施用装置付き移植機を提供することにある。
【課題を解決するための手段】
【０００７】
請求項１に係る発明は、圃場走行可能に支持した機体に苗株を圃場に植付ける苗株植付装置と薬肥粒剤を圃場に施用する薬肥粒剤施用装置とを装荷した施用装置付き移植機において、上記薬肥粒剤施用装置は、苗株植付装置より前方位置で、薬肥粒剤をタンクから定量繰出しする繰出部と、その繰出し薬肥粒剤を土壌中に攪拌するための攪拌部とを設けたことを特徴とする。
上記薬肥粒剤施用装置は、苗株植付装置の前方で繰出部が薬肥粒剤を繰出しするとともに、攪拌部がその繰出し薬肥粒剤を土壌中に攪拌する。
【０００８】
請求項２に係る発明は、請求項１の構成において、前記機体には、原動機として片側配置の排気管を備えた内燃機関を搭載し、かつ、前記薬肥粒剤施用装置は、その繰出部と攪拌部を共に駆動する電動駆動部を備え、この電動駆動部を上記内燃機関の排気管の反対側に配置したことを特徴とする。
上記苗株移植機は、薬肥粒剤施用装置の電動駆動部の配置を内燃機関の排気管の反対側とすることにより、内燃機関による原動機の排気熱の影響が抑えられる。
【０００９】
請求項３に係る発明は、請求項１の構成において、前記薬肥粒剤施用装置は、その繰出部の後方に攪拌部を配置し、この攪拌部は、機体の前進方向に転動可能に軸支した中央拡径状の攪拌ローラと、その周面に放射状に突設した複数の攪拌ピンとからなることを特徴とする。
攪拌ローラの攪拌ピンが土壌に対して攪拌作用を有し、この攪拌ピンは、攪拌ローラの拡径部において土壌に対して強く作用する。
【発明の効果】
【００１０】
請求項１の発明の歩行型野菜苗株移植機は、苗株植付装置の前方で薬肥粒剤施用装置の繰出部が薬肥粒剤を繰出しするとともに、攪拌部がその繰出し薬肥粒剤を土壌中に攪拌することから、薬肥粒剤を土壌の攪拌範囲内に確実に施用して、この施用部位に苗株が適切に植付けられる。
【００１１】
請求項２に係る発明は、請求項１の効果に加え、薬肥粒剤施用装置の電動駆動部の配置を排気管の反対側とすることにより、上記苗株移植機は、内燃機関によって効率的な稼働を可能とした上で、電動駆動部に対する排気熱の影響が抑えられて耐久性を確保することができる。
【００１２】
請求項３に係る発明は、請求項１の効果に加え、攪拌ローラの攪拌ピンが土壌に対して攪拌作用を有し、この攪拌ピンは、攪拌ローラの拡径部において土壌に対して強く作用することから、土壌の攪拌幅の中央位置が集中的に攪拌される。
【図面の簡単な説明】
【００１３】
【図１】苗株移植機の実施の一形態の側面図
【図２】図１の苗株移植機の要部正面図
【図３】別例１の薬肥粒剤施用装置の要部側面図（ａ）およびワイヤ連結図（ｂ）
【図４】別例２の薬肥粒剤施用装置の要部側面図（ａ）およびホース配置図（ｂ）
【図５】別例３の薬肥粒剤施用装置の要部側面図（ａ）およびホース配置図（ｂ）
【発明を実施するための形態】
【００１４】
上記技術思想に基づいて具体的に構成された実施の形態について、以下に図面を参照しつつ説明する。
図１および図２は、本発明の実施の一形態の１条植えの歩行型薬肥粒剤施用苗株移植機の側面図とその要部正面図である。
【００１５】
機体２は、前部に原動機としての内燃式のエンジン６、及び変速伝動装置であるミッションケース７を配置して、その後方に延びるフレーム２ｃの後端部に操縦ハンドル８を設け、ミッションケース７の両側から後方に延びる左右の車輪伝動ケース１，１を揺動可能に軸支し、この車輪伝動ケース１，１を介してそれぞれの後端部に左右の主車輪１０，１０を伝動支持し、これら左右の車輪１０，１０と、機体２の前端部に設けた左右の案内輪１３，１３とによって走行する構成である。
【００１６】
また、エンジン６の上側には燃料タンク６ｂが設けられ、その上部をボンネット６ｃが覆い、このボンネット６ｃの上方に苗株の予備保持台を設ける。主車輪１０，１０の近傍には苗株植付装置３と左右の鎮圧輪４，４を備え、案内輪１３，１３の近傍には薬肥粒剤施用装置５を備えている。
【００１７】
操縦ハンドル８の基部には操作パネル８ａが設けられ、この操作パネル８ａには、車輪伝動ケース１，１を回動させて機体を上下動させるとともに苗株植付装置３の駆動を止める植付昇降レバー、メインクラッチの入・切操作をするメインクラッチレバー等が設けられている。
【００１８】
苗株植付装置３は、複数の苗カップ１９をターンテーブル状に構成して周回搬送する苗供給装置２０と、その下側で平行リンク機構２５によって昇降支持した植付具２１とによって構成する。苗カップ１９は、所定位置で開くシャッタを底部に備え、作業者が投入した苗株を周回搬送しつつ所定位置で苗株を投下し、また、植付具２１は、開閉可能な嘴状ホッパによって構成され、上昇位置で苗株を受け、次いで畝の土壌中に下降した位置で開くことにより、苗株を圃場に植付けする。
【００１９】
左右の主車輪１０，１０は、機体制御機構により、左右の車輪伝動ケース１，１の回動によって個別に上下動させて機体高さと姿勢を調節し、不図示にの畝センサーにより畝上端から一定高さに機体を維持して一定の植付け深さに制御される。また、前記左右の車輪伝動ケース１，１の回動によって機体を上昇させるとともに、左右の鎮圧具４，４を非接地高さまで上昇するように連動構成し、左右の主車輪１０，１０を中心に容易に機体の旋回が行える。
【００２０】
（薬肥粒剤施用装置）
薬肥粒剤施用装置５は、苗株植付装置３よりも前方で、薬肥粒剤を定量繰出しする繰出部３１と、その後方で繰出し薬肥粒剤を土壌中に埋めるための攪拌部３２とから構成する。繰出部３１は、エンジン排気管６ａの逆側に配置した電動駆動部であるモータ３３によって繰出し動作可能に繰出ロール３１ａを駆動し、吐出側に薬肥粒剤の案内ホース３１ｂを下垂する。
【００２１】
攪拌部３２は、薬肥粒剤を土中に埋めるために案内ホース３１ａの後方位置で転動可能な攪拌ローラ３４を高さ調節可能に軸支し、この攪拌ローラ３４は中央を拡径して薬肥粒剤を埋めやすく構成し、その外周面に攪拌ピン３５を放射状に突設した「くし」を形成し、このくしは、薬肥粒剤を中央に集めるために中央に向かって傾斜させる。攪拌ローラ３４の回転方向は、薬肥粒剤を土中に埋めるために反時計まわりに構成する。
【００２２】
上記モータ３３は、繰出部３１と攪拌部３２とをつなぐ駆動系の外側に配置して両者を一体駆動するとともに、苗株植付装置３の植付け入り切りと連動動作させ、繰出部３１の薬肥粒剤が無くなるとオペレータに知らせるためにブザーを鳴動制御する。
【００２３】
上記構成の薬肥粒剤施用装置５は、苗株植付装置３の前方で繰出部３１が薬肥粒剤を繰出しするとともに、攪拌部３２がその攪拌幅内に繰出し薬肥粒剤を受けることから、繰出し薬肥粒剤を無駄なく土壌中に混ぜ込むことができる上に、その攪拌ピン３５が攪拌ローラ３４の中央拡径部において土壌に対して強く作用することから、攪拌幅の中央位置に薬肥粒剤が集中される。
また、薬肥粒剤施用装置５の電動駆動部３３の配置をエンジン排気管６ａの逆側とすることにより、排気管６ａの熱の影響が抑えられて電動駆動部３３の耐久性を確保することができる。
【００２４】
次に、別の薬肥粒剤施用装置の構成例を説明する。
図３の要部側面図（ａ）およびワイヤ連結図（ｂ）に示すように、薬肥粒剤施用装置の繰出部４１の繰出ロール４１ａをワイヤー４２で回動することにより、動力と繰出部４１の位置を自由に配置できる。ワイヤー４２はトルクワイヤでもよく、また、苗の植付けと同時に薬肥粒剤を施用するために、開閉ワイヤ４３ａによって動作する植付具２１の開閉アーム４３に取付ける。
【００２５】
また、苗の供給に合わせて薬肥粒剤を繰出すために、薬肥粒剤施用装置の繰出部５１の目皿の数を苗供給装置２０のテーブル駆動軸の回転数としてこのテーブル駆動軸から動力をとり、その薬肥粒剤を苗株の植付け位置の近傍に施用するために、図４の要部側面図（ａ）およびホース配置図（ｂ）に示すように、薬肥粒剤施用装置の繰出部５１のホース５２とそのストッパ５２ａを植付具２１のホッパ開閉体２１ａ、２１ｂに個別に取付ける。
【００２６】
また、植付具２１や鎮圧輪４，４等の錆を招く施用薬肥粒剤の付着を避けるために、図５の要部側面図（ａ）およびホース配置図（ｂ）に示すように、薬肥粒剤施用装置６１のホース６２を鎮圧輪フレーム４ａの鎮圧輪４より後方位置に取付けるとともに、ホース６２の終端にシャッタ６３を設け、その開閉を植付具２１と連動するために、シャッタ６３の開閉ワイヤ６３ａを植付具２１の開閉アーム４３に取付ける。
【符号の説明】
【００２７】
３      苗株植付装置
５      薬肥粒剤施用装置
６      エンジン（原動機）
６ａ    エンジン排気管
８      操縦ハンドル
２１    植付具
３１    繰出部
３２    攪拌部
３３    モータ（電動駆動部）
３４    攪拌ローラ
３５    攪拌ピン
【図１】
2010263867.tif 000003
【図２】
2010263867.tif 000004
【図３】
2010263867.tif 000005
【図４】
2010263867.tif 000006
【図５】
2010263867.tif 000007